(57)【特許請求の範囲】
【請求項１】
熱交換器（１０）を洗浄するため熱交換器内を循環する固形洗浄材（１５）を制御する方法であって、
循環する固形洗浄材（１５）をせき止めるインターセプト手段（１７）が熱交換器（１０）のアウトレットパイプ（１１Ｓ）に配置されており、熱交換器のインレットパイプ（１１Ｅ）に向かって、これらのインターセプト手段（１７）によってせき止められた固形洗浄材（１５）を、リターンパイプ（２５Ｒ）を介し、制御装置（２６）を通して、リターンフローにより再循環させ、インターセプト手段（１７）と制御装置（２６）との間に、全部の固形洗浄材（１５）を含む主流部分（Ｐ１）と固形洗浄材（１５）が除去された分流部分（Ｐ２）の２つの部分にリターンフローを分割して固形洗浄材（１５）の濃度を主流部分（Ｐ１）で高めるように構成された濃縮装置（２７）が配置されている方法であって、
濃縮装置（２７）は、リターンフローの主流部分（Ｐ１）を制御装置（２６）に導き、制御装置（２６）の入口での流量の条件をこの制御装置の正常作動条件に一致させ、リターンフローの分流部分（Ｐ２）を熱交換器（１０）のアウトレットパイプ（１１Ｓ）上に、インレットパイプ（１１Ｅ）とアウトレットパイプ（１１Ｓ）との間に設置されたアライバルパイプ（２５Ａ）を介して導き、アライバルパイプ（２５Ａ）が、インレットパイプ（１１Ｅ）からのフローにより、インターセプト手段（１７）を介して局部的にリターンパイプ（２５Ｒ）に向けて逆流循環を引き起こしてリターンフローを生成する、
ことを特徴とする制御方法。
【請求項２】
熱交換器（１０）を洗浄するため熱交換器内を循環する固形洗浄材（１５）のための制御設備であって、循環する固形洗浄材（１５）をせき止める熱交換器（１０）のアウトレットパイプ（１１Ｓ）に配置されたインターセプト手段（１７）と、インターセプト手段（１７）によってせき止められた固形洗浄材（１５）を含むリターンフローを熱交換器（１０）のインレットパイプ（１１Ｅ）の方へ再循環するリターンパイプ（２５Ｒ）と、このリターンパイプ（２５Ｒ）に配置された、これらの固形洗浄材（１５）の制御装置（２６）と、インターセプト手段（１７）と制御装置（２６）との間に配置された濃縮装置（２７）とを含んでおり、リターンパイプ（２５Ｒ）で、濃縮装置（２７）は、対応するリターンフローを２つの部分（Ｐ１、Ｐ２）に分割し、すなわち、第１の部分（Ｐ１）は主流部分であって通常は全部の固形洗浄材（１５）を含み固形洗浄材（１５）の濃度が高められ、制御装置（２６）の方へ導かれ、第２の部分（Ｐ２）は分流部分であって通常はあらゆる固形洗浄材（１５）が除去され、制御装置（２６）から遠ざけられるタイプのものであり、リターンパイプ（２５Ｒ）はインターセプト手段（１７）を介して局部的に逆流循環を引き起こす循環手段（２４）に属し、循環手段（２４）が、熱交換器（１０）のインレットパイプ（１１Ｅ）とアウトレットパイプ（１１Ｓ）との間に設置されたアライバルパイプ（２５Ａ）を含んでおり、アライバルパイプ（２５Ａ）が、インレットパイプ（１１Ｅ）からのフローにより、インターセプト手段（１７）を介して局部的にリターンパイプ（２５Ｒ）に向けて逆流循環を引き起こしてリターンフローを生成し、再循環パイプ（２８）がリターンフローの分流部分（Ｐ２）を熱交換器（１０）のアウトレットパイプ（１１Ｓ）に導くようにアライバルパイプ（２５Ａ）につながっている、
ことを特徴とする制御設備。
【請求項３】
循環手段（２４）がアライバルパイプ（２５Ａ）上にポンプ（３０）を含んでおり、再循環パイプ（２８）がこのポンプ（３０）の上流側でアライバルパイプ（２５Ａ）につながっている、
請求項２に記載の制御設備。
【請求項４】
濃縮装置（２７）が、下流側先端に渦流室（４７）が設置された少なくとも１個の格子（４６）を含むフィルターである、
請求項２または３に記載の制御設備。
【請求項５】
格子（４６）が固定式である、
請求項４に記載の制御設備。
【請求項６】
濃縮装置に含まれる格子（４６）を通っての逆流循環のために、弁（５０）によって制御される洗浄パイプ（４９）が、ポンプ（３０）の吐出量を濃縮装置（２７）の下流側先端につなぐ、
結合形として考えた請求項３および５に記載の制御設備。
【請求項７】
濃縮装置（２７）が２個の格子（４６）をＶ字形に含んでいる、
請求項４〜６のいずれか１項に記載の制御設備。
【請求項８】
排出パイプ（４２）が、リターンパイプ（２５Ｒ）と熱交換器（１０）のアウトレットパイプ（１１Ｓ）との間に備えられており、収集装置（５２）がこの排出パイプ（４２）に配置されている、
請求項２〜７のいずれか１項に記載の制御設備。
【発明の詳細な説明】
【０００１】
【発明の属する技術分野】
この発明は、概略的には、熱交換器、及び、例えばコンデンサを形成する管状熱交換器であって、流束内を規則的に循環する、例えばフォームラバー製の球形の固体要素によって連続的かつ確実に洗浄される熱交換器に関する。
【０００２】
【従来の技術】
これらの熱交換器の原理的な面は、いくつかのタイプ、例えば米国特許出願第１ ７９５ ３４８号やドイツ特許出願第２３ １４３ ２９号 ですでに公知である。
【０００３】
【発明が解決しようとする課題】
この発明はさらに特定的には、このように実施された固形洗浄材を制御することを目的とする。
【０００４】
例えば１９９４年２月２４日出願の出願第９４ ０２１０９号、公開第２ ７１６ ５３０号フランス特許に開示されているタイプの構造によれば、固形洗浄材の制御では基本的には、一方では固形洗浄材がそれらを運ぶ流束と共に下水管に排出されるのを防ぐために、熱交換器のアウトレットパイプ上にこれらの固体要素をせき止めることができるインターセプト手段を配置し、及び他方では熱交換器のインレットパイプに向けて、これらのインターセプト手段によってせき止められた固形洗浄材を再循環させる。
【０００５】
しかし、実施においては、特にこれらの固形洗浄材に、その数を管理し、選別し、摩耗によって求められる寸法より小さくなったものを除去し、こうして新たな洗浄材を全体的に再補給するのに適した制御装置を規則的に通過させることもまた必要である。
【０００６】
この制御装置を効率よく機能させるためには、所定の流量がこの装置を通過する必要がある。
【０００７】
従って、現在のところ、この制御装置は、コストを犠牲にしても、特別に正確に寸法決定することによって設備の処理能力に応じなければならない。
【０００８】
この発明はこの不都合を避けることができる普遍的な方法に関する。
【０００９】
【課題を解決するための手段】
この発明は先ず第一に、熱交換器を洗浄するため熱交換器内を循環する固体洗浄要素を制御するための方法で、循環する固形洗浄材をせき止めておくのに適したインターセプト手段がこの熱交換器のアウトレットパイプに配置されており、熱交換器のインレットパイプの方に向かってこれらのインターセプト手段によってせき止められた固形洗浄材が制御装置を通過するようにして再循環されるタイプのものを目的としており、この方法は全体として、このインターセプト手段と制御装置との間に、リターンフローの密度を固形洗浄材に応じて高め、かつ制御装置の入口の流量の条件をこの装置の正常作動条件に一致させるのに適した濃縮装置が配置されていることを特徴とする。
【００１０】
この発明はまた、熱交換器を洗浄するための熱交換器内を循環する固形洗浄材用の制御設備も目的としており、この制御設備は、循環する固形洗浄材をせき止めるのに適していて、熱交換器のアウトレットパイプ上に配置されたインターセプト手段と、このインターセプト手段によってせき止められた固形洗浄材を含むリターンフローを熱交換器のインレットパイプの方へ再循環するリターンパイプと、このリターンパイプ上に配置された、これらの固形洗浄材を制御する装置を含んでいるタイプであって、インターセプト手段と制御装置との間に、リターンフローを２つに分割する濃縮装置がリターンパイプに配置されており、リターンフローの分割された第１の部分は主流部であって通常は全部の固形洗浄材を含んでいて、制御装置の方へ導かれ、他方、第２の部分は分流部であって通常はすべての固形洗浄材が除去されていて、制御装置から遠ざかり、リターンパイプはインターセプト手段を介して局部的に逆流を生じることができる循環手段に属することを特徴とする。
【００１１】
従ってこの発明によれば、制御装置は管理すべき固形洗浄材全部が正常に流れていくのを確認しながら、リターンフローの流量の一部を節約する。
【００１２】
さらに詳細には、この発明の濃縮装置はさらに有利には、制御装置の入口で、正規作動条件に相当する所定の流量条件を規則的に再現することを可能にする。
【００１３】
従って、処理設備のキャパシティに関わらず、標準的な制御装置を有利な原価で実施することができる。
【００１４】
さらに、熱交換器のインレットパイプ上の再循環流量を最小化することによって、この発明の濃縮装置は、リターンフローの循環が確実に逆流できるために通常必要なポンプの出力をこれに応じて下げることを可能にする。
【００１５】
【発明の実施の形態】
以下この発明を図示の実施例に基づき説明する。図１に示すように、熱交換器、及び例えばコンデンサを形成する熱交換器１０には、矢印Ｆ１で示すように、一方ではインレットパイプ１１Ｅの、他方ではアウトレットパイプ１１Ｓによって、冷却用流体、この場合は水、が通過する。
【００１６】
この種の熱交換器１０はそれ自体がよく知られており、この発明には含まれないので、ここで説明はしない。
【００１７】
実際、この発明に関わるのは管型熱交換器であって、例えば先に挙げたフランス特許第９４ ０２１０９号に略述して開示されたタイプのものである。
【００１８】
図示の実施例では、フィルター手段１２がスリーブ１３によってインレットパイプ１１Ｅに配置されている。
【００１９】
これらのフィルター手段１２は必須ではなく、この発明には含まれないので、ここで説明はしない。
【００２０】
この発明は、例えば１９８７年１月１６日出願の第８７ ００４３０号、公開第２ ６０９ ６４４号に開示のタイプのフィルター手段を対象とする。
【００２１】
同様に、公知の通り、固形洗浄材１５は熱交換器１０を洗浄するため、熱交換器内を永久循環することができる。
【００２２】
実際には、直径が熱交換器１０の管径より僅かに大きく、密度は水がしみ込んだ状態で水の密度とほぼ同じであるフォームラバー製の球が問題となる。
【００２３】
これらの固形洗浄材１５は確実に管理するのが望ましい。つまり、熱交換器１０内で球が効果的に循環するようにし、かつ球の数と寸法を管理することである。
【００２４】
公知の通り、これらの固形洗浄材１５は、インレットパイプ１１Ｅ内に、入力流に運ばれるように、フィルター手段１２の下流側に規則的に投入される。
【００２５】
同じく公知の通り、アウトレットパイプ１１Ｓには、スリーブ１６によって、循環する固形洗浄材１５をせき止めるのに適したインターセプト手段１７が必然的に配置されており、さらに後ほど詳しく説明する制御設備１８によって、これらのインターセプト手段１７によってせき止められた固形洗浄材１５はインレットパイプ１１Ｅの方へ循環される。
【００２６】
これらのインターセプト手段１７はこの発明には含まれないので、ここで詳しく説明はしない。
【００２７】
例えば、この発明に関わるのは、上記のフランス特許第９４ ０２１０９号の対象となるタイプのフィルター手段である。
【００２８】
従って、これらのフィルター手段が一方ではスリーブ１６を横断方向に閉ざし、軸と外周の間に径方向にフィルターパネル２１を持ち、図示しない制御手段の制御下で軸に沿って回転可能に取り付けられたホイール２０を、他方ではホイール２０の両側、すなわち一方側はアウトプットノズル１１Ｓから吐出される流束の方向に下流側に、他方側は上流側にそれぞれ配置され、相互に対応するように作られ、ホイール２０のフィルターパネル２１の方へ相互に向けられた２個のラッパノズル２２Ａ，２２Ｒを含んでいることを挙げておけば充分であろう。
【００２９】
結局それ自体公知の通り、制御設備１８は循環手段２４を含んでおり、この手段はインターセプト手段１７を横切って局部的にラッパノズル２２Ａ，２２Ｒと直角に逆流循環を生じさせるのに適しており、さらにこの手段はそれら自体、このために一方では熱交換器１０のインレットパイプ１１Ｅとアウトレットパイプ１１Ｓとの間に設置されたアライバルパイプ２５Ａを、このアライバルパイプ２５Ａはさらに詳細にはインターセプト手段１７の下流側に配置されたラッパノズル２２Ａにつながっており、そして他方ではインターセプト手段１７の上流側に位置したラッパノズル２２Ｒにつながって、これらのインターセプト手段１７によってせき止められた固形洗浄材１５を含むリターンフローを熱交換器１０のインレットパイプ１１Ｅの方へ再循環するリターンパイプ２５Ｒを含んでおり、そしてこのリターンパイプ上にはこれらの固形洗浄材１５の制御装置２６が、とりわけこれらの要素の数の管理と、もはや寸法が充分ではないものの除去と、新しい固形洗浄材の補給のために配置されている。
【００３０】
この制御装置２６はこの発明には含まれないので、ここで説明はしない。
【００３１】
この発明によれば、インターセプト手段１７と制御装置２６の間に、リターンフローの密度を固形洗浄材に応じて高めるのに適した濃縮装置２７が配置されている。
【００３２】
言い換えれば、循環手段２４のリターンパイプ２５Ｒには、リターンフローを２つに分ける濃縮装置２７が、インターセプト手段１７と制御装置２６の間にこの発明に従って配置されている。つまり、２つの部分というのは、図１の矢印Ｐ１，Ｐ２で示されている通り、通常は循環する固形洗浄材１５全部を含み、制御装置２６の方へ向けられる主流部分Ｐ１と、通常は固形洗浄材１５をすべて除去され、この制御装置２６から遠ざかる第２の分流部分Ｐ２である。
【００３３】
実際、主流部分Ｐ１は処理されたごく少量のリターンフローに相当し、分流部分Ｐ２は多量のリターンフローに相当する。
【００３４】
言い換えれば、主流部分Ｐ１は比較的小さな流量、分流部分Ｐ２は比較的大きな流量に相当する。
【００３５】
図示の実施例では、制御設備１８は熱交換器１０のアウトレットパイプ１１Ｓのリターンフローの分流部分Ｐ２を導く再循環パイプ２８を含む。
【００３６】
さらに詳細には、この実施例では、この再循環パイプ２８はアライバルパイプ２５Ａにつながる。
【００３７】
さらに詳細には、循環手段２４はこのアライバルパイプ２５Ａにポンプ３０を含んでいるので、再循環パイプ２８はこのポンプ３０の上流側でこのアライバルパイプ２５Ａとつながっている。
【００３８】
図示の実施例では、リターンパイプ２５Ｒの濃縮装置２７の上流側に弁３１が備わっており、さらに続いて、再循環パイプ２８上のこの濃縮装置２７の下流側にチェックバルブ３２とダイアフラム３３が備わっている。
【００３９】
同様に、２個の弁３４，３５がアライバルパイプ２５Ａに、一方はポンプ３０の上流側に、他方はポンプ３０の下流側に、場合によってはこのポンプ３０を分離するために備わっており、そして同時にこのアライバルパイプ２５Ａはもし望むならばポンプ３０の回路を開くために局部的に分流パイプ３７によって二重にされる。
【００４０】
好ましくは、図示のように、この分流パイプ３７にチェックバルブ３８が配置される。
【００４１】
濃縮装置２７の上流側にある弁３１に加えて、リターンパイプ２５Ｒは図示の実施例では、制御装置２６の下流側にある弁３９によって制御される。
【００４２】
好ましくは、図示のように、リターンパイプ２５Ｒはスリーブ１３内にノズル４０を開いており、これらのノズルは入力流内に固形洗浄材１５が確実に投入され、入力流内を循環もしくは再循環し、さらに好ましくは逆流に方向付けされるようにする。
【００４３】
図示の実施例では、弁４３によって制御される排出パイプ４２はリターンパイプ２５Ｒにこれが出るラッパノズル２２Ｒと濃縮装置２７の間でつながることによって、このリターンパイプを熱交換器１０のアウトレットパイプ１１Ｓにつなぎ、固形洗浄材１５を場合によっては除去することができる。
【００４４】
同様に、この実施例では、弁４５によって制御される排出パイプ４４が、フィルター手段１２を熱交換器１０のアウトレットパイプ１１Ｓに結びつけ、これらのフィルター手段１２によってせき止められたくずを排出するようになっている。
【００４５】
最後に、この発明の濃縮装置２７は、好ましくは、そして図示のように、少なくとも１個の格子４６を含むフィルターであって、その下流側の先端には図２及び図３に示すように渦流室４７がある。
【００４６】
この種の渦流室４７はそれ自体としてよく知られており、この発明には含まれないので、ここで説明はしない。
【００４７】
図示の実施例では、濃縮装置２７はＶ字形に２個の格子４６を含んでおり、これらは渦流室４７の方向に共に集中する。
【００４８】
これらの格子４６は例えば桟４８で構成されており、その隙間は固形洗浄材１５の直径より狭くなっている。
【００４９】
好ましくは、格子４６は固定されている。
【００５０】
以上説明したこの発明によれば、同時に、そして図１に鎖線で示す通り、洗浄パイプ４９が備えられており、これは弁５０によって制御され、ポンプ３０の吐出し量を濃縮装置２７の下流側先端につなぎ、この濃縮装置の含む格子４６を通過する逆流循環を可能にする。
【００５１】
作動状態で、固形洗浄材１５は連続的に熱交換器１０を通過し、その出力側でインターセプト手段１７によってせき止められ、濃縮装置２７をつぎつぎに通過した後、その入口で再循環されるが、この濃縮装置は固形洗浄材を最大流量から分離し、制御装置２６を通過させてその処理を確実に行う。
【００５２】
濃縮装置２７のおかげで、制御装置２６の入口の流量条件は正しく定められ、この制御装置２６の正規作動条件と一致する。
【００５３】
もし望むならば、排出パイプ４２は固形洗浄材１５の除去を可能にする。
【００５４】
好ましくは、そして図１に鎖線で示す通り、この排出パイプ４２上には、これらの固形洗浄材１５を集めるために適した収集装置５２が配置されており、制御設備１から最終的に逃れたこれらの洗浄材が不適切な時期に下水管に排出されないよう、防止している。
【００５５】
さらに、この発明は以上説明し、図示した実施例のみに限定されるものではなく、すべての変形例をその目的に含むものとする。
【図面の簡単な説明】
【図１】  この発明の制御設備の構成図。
【図２】  この制御設備の濃縮装置の拡大縦断面図。
【図３】  図２のIII−III線に沿った、この濃縮装置の別の縦断面図。
【符号の説明】
１０…熱交換器
１１Ｅ…インレットパイプ
１１Ｓ…アウトレットパイプ
１２…フィルタ手段
１３…スリーブ
１５…固体洗浄材
１７…インターセプト手段
２０…ホイール
２１…フィルターパネル
２２Ａ，２２R…ラッパノズル
２４…循環手段
２５Ａ…アライバルパイプ
２５Ｒ…リターンパイプ
２６…制御装置
２７…濃縮装置
Ｐ１…主流
Ｐ２…分流
２８…再循環パイプ
３０…ポンプ
３２…チェックバルブ
３３，３８…ダイアフラム
４２，４４…排出パイプ
４６…格子
４７…渦流室
４９…洗浄パイプ
５０…弁
５２…収集装置
【図１】
0004090199.tif 000002
【図２】
0004090199.tif 000003
【図３】
0004090199.tif 000004